(57)【要約】【課題】複数の印刷ジョブの進捗状況を確認することができる印刷工程管理装置を提供する。【解決手段】印刷工程管理装置の第１の表示制御手段は、印刷情報の複数の処理工程にそれぞれ対応する複数の工程図形を各処理工程の処理順に並べた第１の図形を、当該印刷情報に対応付けて、表示手段に表示するための制御を行い、第２の表示制御手段は、各処理工程における前記印刷情報の処理状況を示す状況情報を取得し、現在処理中であることを示す状況情報を取得した処理工程に対応する工程図形を、他の工程図形と異なる態様に変えて、前記表示手段に表示するための制御を行い、第３の表示制御手段は、現在処理中である処理工程で行われている処理の内容を示す情報を、第１の図形と並べて、前記表示手段に表示するための制御を行う。【選択図】図１
2019211809.tif 000002
【特許請求の範囲】
【請求項１】
印刷情報の複数の処理工程にそれぞれ対応する複数の工程図形を各処理工程の処理順に並べた第１の図形を、当該印刷情報に対応付けて、表示手段に表示するための制御を行う第１の表示制御手段と、
各処理工程における前記印刷情報の処理状況を示す状況情報を取得し、現在処理中であることを示す状況情報を取得した処理工程に対応する工程図形を、他の工程図形と異なる態様に変えて、前記表示手段に表示するための制御を行う第２の表示制御手段と、
現在処理中である処理工程で行われている処理の内容を示す情報を、第１の図形と並べて、前記表示手段に表示するための制御を行う第３の表示制御手段
を有する印刷工程管理装置。
【請求項２】
前記第１の表示制御手段は、複数の印刷情報を注文に区分して表示した表示画面において第１の図形を表示するための制御を行う、
請求項１に記載の印刷工程管理装置。
【請求項３】
前記第１の表示制御手段は、一の処理工程に区分される複数の印刷情報が表示された表示画面において第１の図形を表示するための制御を行う、
請求項１に記載の印刷工程管理装置。
【請求項４】
前記第２の表示制御手段は、処理が完了したことを示す状況情報を取得した処理工程に対応する工程図形の色と、未処理であることを示す状況情報を取得した処理工程に対応する工程図形の色と、をそれぞれ区別して表示するための制御を行う、
請求項１に記載の印刷工程管理装置。
【請求項５】
前記第３の表示制御手段は、処理の内容を示す情報がエラーに関連する場合の表示態様を変える、
請求項１に記載の印刷工程管理装置。
【請求項６】
前記第３の表示制御手段は、処理の内容を示す情報が警告に関連する場合の表示態様を変える、
請求項１に記載の印刷工程管理装置。
【請求項７】
前記第３の表示制御手段は、第１の図形に対応付けられた印刷情報に関連する情報をさらに表示するための制御を行う、
請求項１に記載の印刷工程管理装置。
【請求項８】
現在処理中である処理工程の状況情報に応じて態様が異なる第２の図形を、当該処理工程に対応する工程図形に重畳して、前記表示手段に表示するための制御を行う第４の表示制御手段
をさらに備える請求項１に記載の印刷工程管理装置。
【請求項９】
前記第２の図形は、少なくとも正常処理中、エラー発生、警告発生の処理状況に対応した異なる態様の図形である、
請求項８に記載の印刷工程管理装置。
【請求項１０】
コンピュータを、
印刷情報の複数の処理工程にそれぞれ対応する複数の工程図形を各処理工程の処理順に並べた第１の図形を、当該印刷情報に対応付けて、表示手段に表示するための制御を行う第１の表示制御手段と、
各処理工程における前記印刷情報の処理状況を示す状況情報を取得し、現在処理中であることを示す状況情報を取得した処理工程に対応する工程図形を、他の工程図形と異なる態様に変えて、前記表示手段に表示するための制御を行う第２の表示制御手段と、
現在処理中である処理工程で行われている処理の内容を示す情報を、第１の図形と並べて、前記表示手段に表示するための制御を行う第３の表示制御手段
として機能させるための印刷工程管理プログラム。
【発明の詳細な説明】
【技術分野】
【０００１】
本発明は、印刷工程管理装置及び印刷工程管理プログラムに関する。
【背景技術】
【０００２】
特許文献１には、複数の工程を経て製作される成果物の、成果物単位での進捗管理と工程単位での進捗管理とを容易に行う情報処理装置及びその制御方法を提供することを課題とし、複数の工程を経て生成される成果物の単位を表示列として、表示画面を生成する第１の生成手段と、前記工程の単位を表示列として、表示画面を生成する第２の生成手段と、前記第１の生成手段で生成された表示画面と、前記第２の生成手段で生成された表示画面のいずれか１つの表示画面を表示する表示制御手段と、前記第１の生成手段で生成された表示画面を前記第２の生成手段で生成された表示画面に切り替える、あるいは、前記第２の生成手段で生成された表示画面を前記第１の生成手段で生成された表示画面に切り替える切り替え手段と、を有することが開示されている。
【先行技術文献】
【特許文献】
【０００３】
【特許文献１】特開２０１７−０４９８４８号公報
【発明の概要】
【発明が解決しようとする課題】
【０００４】
例えば、（１）入稿、（２）前処理（プリプレス）、（３）印刷（プレス）、（４）後処理（ポストプレス）、（５）検品、（６）配送、といった一連の印刷工程（ワークフロー）を管理するシステムがある。近年では少部数の印刷ジョブを複数まとめて大部数の印刷ジョブとして処理する等して印刷システム全体の稼働率を上げて印刷コストを削減することが行われるようになってきた。印刷システム全体の稼働率を上げると、複数の注文に係るそれぞれ異なる印刷ジョブを同時期に処理することになるが、このような状況下である印刷ジョブの進捗が遅れると他の印刷ジョブの進捗に対しても影響が及ぶ場合がある。そのため、同時進行している複数の印刷ジョブそれぞれの進捗状況が俯瞰できるような印刷工程管理システムが望まれている。
本発明は、複数の印刷ジョブの進捗状況を確認することができる印刷工程管理装置及び印刷工程管理プログラムを提供することを目的とする。
【課題を解決するための手段】
【０００５】
かかる目的を達成するための本発明の要旨とするところは、次の各項の発明に存する。
請求項１の発明は、印刷情報の複数の処理工程にそれぞれ対応する複数の工程図形を各処理工程の処理順に並べた第１の図形を、当該印刷情報に対応付けて、表示手段に表示するための制御を行う第１の表示制御手段と、各処理工程における前記印刷情報の処理状況を示す状況情報を取得し、現在処理中であることを示す状況情報を取得した処理工程に対応する工程図形を、他の工程図形と異なる態様に変えて、前記表示手段に表示するための制御を行う第２の表示制御手段と、現在処理中である処理工程で行われている処理の内容を示す情報を、第１の図形と並べて、前記表示手段に表示するための制御を行う第３の表示制御手段を有する印刷工程管理装置である。
【０００６】
請求項２の発明は、前記第１の表示制御手段は、複数の印刷情報を注文に区分して表示した表示画面において第１の図形を表示するための制御を行う、請求項１に記載の印刷工程管理装置である。
【０００７】
請求項３の発明は、前記第１の表示制御手段は、一の処理工程に区分される複数の印刷情報が表示された表示画面において第１の図形を表示するための制御を行う、請求項１に記載の印刷工程管理装置である。
【０００８】
請求項４の発明は、前記第２の表示制御手段は、処理が完了したことを示す状況情報を取得した処理工程に対応する工程図形の色と、未処理であることを示す状況情報を取得した処理工程に対応する工程図形の色と、をそれぞれ区別して表示するための制御を行う、請求項１に記載の印刷工程管理装置である。
【０００９】
請求項５の発明は、前記第３の表示制御手段は、処理の内容を示す情報がエラーに関連する場合の表示態様を変える、請求項１に記載の印刷工程管理装置である。
【００１０】
請求項６の発明は、前記第３の表示制御手段は、処理の内容を示す情報が警告に関連する場合の表示態様を変える、請求項１に記載の印刷工程管理装置である。
【００１１】
請求項７の発明は、前記第３の表示制御手段は、第１の図形に対応付けられた印刷情報に関連する情報をさらに表示するための制御を行う、請求項１に記載の印刷工程管理装置である。
【００１２】
請求項８の発明は、現在処理中である処理工程の状況情報に応じて態様が異なる第２の図形を、当該処理工程に対応する工程図形に重畳して、前記表示手段に表示するための制御を行う第４の表示制御手段をさらに備える請求項１に記載の印刷工程管理装置である。
【００１３】
請求項９の発明は、前記第２の図形は、少なくとも正常処理中、エラー発生、警告発生の処理状況に対応した異なる態様の図形である、請求項８に記載の印刷工程管理装置である。
【００１４】
請求項１０の発明は、コンピュータを、印刷情報の複数の処理工程にそれぞれ対応する複数の工程図形を各処理工程の処理順に並べた第１の図形を、当該印刷情報に対応付けて、表示手段に表示するための制御を行う第１の表示制御手段と、各処理工程における前記印刷情報の処理状況を示す状況情報を取得し、現在処理中であることを示す状況情報を取得した処理工程に対応する工程図形を、他の工程図形と異なる態様に変えて、前記表示手段に表示するための制御を行う第２の表示制御手段と、現在処理中である処理工程で行われている処理の内容を示す情報を、第１の図形と並べて、前記表示手段に表示するための制御を行う第３の表示制御手段として機能させるための印刷工程管理プログラムである。
【発明の効果】
【００１５】
請求項１の印刷工程管理装置によれば、複数の印刷ジョブの進捗状況を確認することができる。
【００１６】
請求項２の印刷工程管理装置によれば、第１の図形を表示するのに、複数の印刷情報を注文に区分して表示した表示画面を用いることができる。
【００１７】
請求項３の印刷工程管理装置によれば、第１の図形を表示するのに、一の処理工程に区分される複数の印刷情報が表示された表示画面を用いることができる。
【００１８】
請求項４の印刷工程管理装置によれば、ユーザーは、処理が完了した処理工程と未処理である処理工程を区別して認識することができる。
【００１９】
請求項５の印刷工程管理装置によれば、ユーザーは、エラーであることがわかるようになる。
【００２０】
請求項６の印刷工程管理装置によれば、ユーザーは、警告であることがわかるようになる。
【００２１】
請求項７の印刷工程管理装置によれば、ユーザーは、印刷情報に関連する情報をさらに得ることができる。
【００２２】
請求項８の印刷工程管理装置によれば、ユーザーは、現在処理中である処理工程の状況を知ることができる。
【００２３】
請求項９の印刷工程管理装置によれば、第２の図形として、少なくとも正常処理中、エラー発生、警告発生の状況を知ることができる。
【００２４】
請求項１０の印刷工程管理プログラムによれば、複数の印刷ジョブの進捗状況を確認することができる。
【図面の簡単な説明】
【００２５】
【図１】本実施の形態の構成例についての概念的なモジュール構成図である。
【図２】表示制御モジュール内の構成例についての概念的なモジュール構成図である。
【図３】本実施の形態を利用したシステム構成例を示す説明図である。
【図４】印刷ワークフローの例を示す説明図である。
【図５】印刷ワークフロー内の各処理工程を示すフェーズアイコンの例を示す説明図である。
【図６】本実施の形態による処理例を示すフローチャートである。
【図７】注文・印刷ワークフロー対応テーブルのデータ構造例を示す説明図である。
【図８】処理工程・処理機器対応テーブルのデータ構造例を示す説明図である。
【図９】処理状況テーブルのデータ構造例を示す説明図である。
【図１０】印刷ワークフロー内の各処理工程の処理状況、ステータスを表示する例を示す説明図である。
【図１１】注文ＩＤ毎に、各処理工程の処理状況、ステータスの表示例を示す説明図である。
【図１２】フェーズアイコンにサブアイコンを重畳した表示例を示す説明図である。
【図１３】印刷ワークフロー内の各処理工程の処理状況、ステータスの表示例を示す説明図である。
【図１４】メッセージの表示例を示す説明図である。
【図１５】本実施の形態を実現するコンピュータのハードウェア構成例を示すブロック図である。
【発明を実施するための形態】
【００２６】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するという意味である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係、ログイン等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態にしたがって、又はそれまでの状況・状態にしたがって定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という記載は、「Ａであるか否かを判断し、Ａであると判断した場合はＢをする」の意味で用いる。ただし、Ａであるか否かの判断が不要である場合を除く。また、「Ａ、Ｂ、Ｃ」等のように事物を列挙した場合は、断りがない限り例示列挙であり、その１つのみを選んでいる場合（例えば、Ａのみ）を含む。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００２７】
本実施の形態である工程管理装置１００は、印刷機１５０、製本機１６０等を用いた印刷工程を管理するものであって、図１の例に示すように、コントローラ制御モジュール１０５、受注情報管理モジュール１１５を有している。ここでの印刷工程の管理は、ユーザー（操作者、管理者等）が、印刷工程の進捗状況を確認することができるように、少なくとも印刷工程の進捗状況を表示するように制御するものである。
印刷製品は本文や表表紙／裏表紙等の複数の印刷部品から構成されるため、印刷システム全体の稼働率を上げていくと、一つの注文に係る印刷ジョブは複数の工程にまたがって処理されている場合が生じる。このような場合、一つの印刷ジョブであっても複数の工程からそれぞれ進捗を確認することとなるが、例えば各工程がそれぞれ独立した進捗管理システムによって管理されている場合は、必要な進捗管理システムを全てアクセスする必要があり、効率的ではない。本実施の形態では、複数の処理工程を有する複数のワークフローであっても、一元的に管理（例えば、進捗状況を表示）することができるようになる。
【００２８】
コントローラ制御モジュール１０５は、表示制御モジュール１１０を有しており、受注情報管理モジュール１１５、印刷機１５０、製本機１６０と接続されており、また、通信回線１９０を介してクライアント装置１２０と接続されている。コントローラ制御モジュール１０５は、印刷機１５０、製本機１６０等を制御し、印刷工程の進捗状況をクライアント装置１２０に表示するように制御する。
表示制御モジュール１１０は、印刷機１５０、製本機１６０等の処理状況を取得して、印刷工程の進捗状況をクライアント装置１２０に表示するように制御する。表示制御モジュール１１０内の詳細な機能（働き等）は、図２の例を用いて後述する。
受注情報管理モジュール１１５は、コントローラ制御モジュール１０５と接続されている。受注情報管理モジュール１１５は、印刷用のワークフローにしたがって、印刷ジョブ等を受け付け、ワークフローにしたがって、印刷機１５０、製本機１６０等を制御するようにコントローラ制御モジュール１０５に指示を行う。
【００２９】
クライアント装置１２０は、表示モジュール１２５を有しており、通信回線１９０を介して、工程管理装置１００のコントローラ制御モジュール１０５と接続されている。クライアント装置１２０は、工程管理装置１００、印刷機１５０、製本機１６０等の操作者、印刷用のワークフローの管理者等によって操作される端末であって、例えば、パーソナルコンピュータ、モバイル端末等が該当する。
表示モジュール１２５は、Ｗｅｂブラウザ１３０を有している。表示モジュール１２５は、液晶、有機ＥＬ等を用いたディスプレイに印刷工程の進捗状況（工程管理装置１００の表示制御モジュール１１０から送信されてきた情報）を表示する。
Ｗｅｂブラウザ１３０は、通信回線１９０を介して、工程管理装置１００の表示制御モジュール１１０と通信を行い、印刷工程の進捗状況をディスプレイに表示する。
【００３０】
印刷機１５０は、工程管理装置１００のコントローラ制御モジュール１０５と接続されている。印刷機１５０は、プリンタともいわれ、コントローラ制御モジュール１０５による制御にしたがって記録媒体（用紙等）に印刷を行う。主に、ワークフローにおける「（３）印刷（プレス）」の処理を行う。
製本機１６０は、工程管理装置１００のコントローラ制御モジュール１０５と接続されている。製本機１６０は、印刷機１５０によって印刷された記録媒体を製本する。主に、印刷のワークフローにおける「（４）後処理（ポストプレス）」の処理を行う。
また、受注情報管理モジュール１１５が、印刷のワークフローにおける「（１）入稿」の処理を行い、コントローラ制御モジュール１０５が、ワークフローにおける「（２）前処理（プリプレス）」の処理を行う。そして、ワークフローにおける「（５）検品、（６）配送」の処理状況等は、検品管理システム、搬送管理システム（具体例として、荷物問い合わせシステム等）等と通信を行うことによって、取得することができる。したがって、コントローラ制御モジュール１０５（表示制御モジュール１１０）は、ワークフローにおける「（１）入稿、（２）前処理（プリプレス）、（３）印刷（プレス）、（４）後処理（ポストプレス）、（５）検品、（６）配送等」の処理状況等を取得することができる。
【００３１】
図２は、表示制御モジュール１１０内の構成例についての概念的なモジュール構成図である。
表示制御モジュール１１０は、情報取得モジュール２１０、表示制御（Ａ）モジュール２３０、表示制御（Ｂ）モジュール２３５、表示制御（Ｃ）モジュール２４０、表示制御（Ｄ）モジュール２４５、表示用データ送信モジュール２５０を有している。
情報取得モジュール２１０は、印刷情報取得モジュール２１５、処理状況情報取得モジュール２２０を有しており、表示制御（Ａ）モジュール２３０、表示制御（Ｂ）モジュール２３５、表示制御（Ｃ）モジュール２４０、表示制御（Ｄ）モジュール２４５と接続されている。情報取得モジュール２１０は、印刷情報、印刷のワークフローにしたがった各印刷工程における処理状況に関する情報を取得する。
印刷情報取得モジュール２１５は、印刷のワークフローで対象となる印刷情報を受注情報管理モジュール１１５から取得する。ここで印刷情報とは、印刷ジョブともいわれ、印刷データ、その属性（カラー印刷か白黒印刷かを示す情報、記録媒体の大きさ、記録媒体の種類等）を含んでいる。
処理状況情報取得モジュール２２０は、各処理工程に対応する工程処理装置から取得する。例えば、前述したように、コントローラ制御モジュール１０５、受注情報管理モジュール１１５、印刷機１５０、製本機１６０等からワークフローにおける「（１）入稿、（２）前処理（プリプレス）、（３）印刷（プレス）、（４）後処理（ポストプレス）、（５）検品、（６）配送等」の処理状況等を取得する。
【００３２】
表示制御（Ａ）モジュール２３０は、情報取得モジュール２１０、表示用データ送信モジュール２５０と接続されている。表示制御（Ａ）モジュール２３０は、印刷情報の複数の処理工程にそれぞれ対応する複数の工程図形（以下、フェーズアイコンともいう）を各処理工程の処理順に並べた第１の図形を、その印刷情報に対応付けて、クライアント装置１２０（表示モジュール１２５）に表示するためのデータを生成する。「複数の処理工程」として、例えば、「（１）入稿、（２）前処理（プリプレス）、（３）印刷（プレス）、（４）後処理（ポストプレス）、（５）検品、（６）配送等」がある。「工程図形」の具体例については、図５の例を用いて後述する。「第１の図形」は、工程図形群を含んでおり、例えば、図１０の例を用いて後述するフェーズアイコン表示領域１０１２等が該当する。
また、表示制御（Ａ）モジュール２３０は、複数の印刷情報を注文に区分して表示した表示画面において第１の図形を表示するための制御を行うようにしてもよい。例えば、図１１の例を用いて後述する受注リスト対応ステータステーブル１１１０等の形態が該当する。なお、一の注文情報には、一以上の印刷情報が関連付けられている。
また、表示制御（Ａ）モジュール２３０は、一の処理工程に区分される複数の印刷情報が表示された表示画面において第１の図形を表示するための制御を行うようにしてもよい。例えば、処理工程を選択し、その処理工程だけの複数の印刷情報の処理状況を表示するようにしてもよい。
【００３３】
表示制御（Ｂ）モジュール２３５は、情報取得モジュール２１０、表示用データ送信モジュール２５０と接続されている。表示制御（Ｂ）モジュール２３５は、各処理工程における印刷情報の処理状況を示す状況情報を取得し、現在処理中であることを示す状況情報を取得した処理工程に対応する工程図形を、他の工程図形と異なる態様に変えて、クライアント装置１２０（表示モジュール１２５）に表示するためのデータを生成する。ここで「状況情報」は、各印刷工程のステータスに対応し、処理待ち、処理中、エラー発生、停止中、処理終了等がある。なお、処理状況情報取得モジュール２２０が、各工程の処理装置からステータスを取得する。また、「他の工程図形」とは、現在処理中ではない処理工程（具体的には、処理が完了した処理工程又は未処理である処理工程）に対応する工程図形を指す。「異なる態様」として、例えば、「他の工程図形」の色とは異なる色で「処理工程に対応する工程図形」を表示することである。
また、表示制御（Ｂ）モジュール２３５は、処理が完了したことを示す状況情報を取得した処理工程に対応する工程図形の色と、未処理であることを示す状況情報を取得した処理工程に対応する工程図形の色と、をそれぞれ区別して表示するための制御を行うようにしてもよい。図１０の例を用いて後述する。
さらに、表示制御（Ｂ）モジュール２３５は、完了した工程を示す色、未処理の工程を示す色の他に、処理中であることを示す状況情報を取得した処理工程に対応する工程図形の色も、変えて表示するための制御を行うようにしてもよい。
【００３４】
表示制御（Ｃ）モジュール２４０は、情報取得モジュール２１０、表示用データ送信モジュール２５０と接続されている。表示制御（Ｃ）モジュール２４０は、現在処理中である処理工程で行われている処理の内容を示す情報を、第１の図形と並べて、クライアント装置１２０（表示モジュール１２５）に表示するためのデータを生成する。ここで「第１の図形と並べて」として、第１の図形の近辺（上下左右等）に、処理の内容を示す情報を表示すればよい。例えば、図１０の例を用いて後述するステータスメッセージ表示領域１０１４等が該当する。また、処理の内容を示す情報の表示形態として、文字情報（テキスト）であってもよいし、図形等であってもよい。
また、表示制御（Ｃ）モジュール２４０は、処理の内容を示す情報がエラーに関連する場合の表示態様を変えるように制御してもよい。「表示態様を変える」として、例えば、色を変更すること、エラーを示すアイコン（マーク、図形等）を付加すること、としてもよい。これによって、エラーが発生していることがユーザーにわかりやすくなる。
また、表示制御（Ｃ）モジュール２４０は、処理の内容を示す情報が警告に関連する場合の表示態様を変えるように制御してもよい。「表示態様を変える」として、例えば、色を変更すること、警告を示すアイコン（マーク等）を付加すること、としてもよい。これによって、警告が発生していることがユーザーにわかりやすくなる。
また、表示制御（Ｃ）モジュール２４０は、第１の図形に対応付けられた印刷情報に関連する情報をさらに表示するための制御を行うようにしてもよい。
【００３５】
表示制御（Ｄ）モジュール２４５は、情報取得モジュール２１０、表示用データ送信モジュール２５０と接続されている。表示制御（Ｄ）モジュール２４５は、現在処理中である処理工程の状況情報に応じて態様が異なる第２の図形を、その処理工程に対応する工程図形に重畳して、クライアント装置１２０（表示モジュール１２５）に表示するためのデータを生成する。図１２の例を用いて後述する。
その「第２の図形」は、少なくとも正常処理中、エラー発生、警告発生の処理状況に対応した異なる態様の図形としてもよい。
【００３６】
表示用データ送信モジュール２５０は、表示制御（Ａ）モジュール２３０、表示制御（Ｂ）モジュール２３５、表示制御（Ｃ）モジュール２４０、表示制御（Ｄ）モジュール２４５と接続されている。表示用データ送信モジュール２５０は、クライアント装置１２０（表示モジュール１２５）に表示するための制御を行う。例えば、表示制御（Ａ）モジュール２３０、表示制御（Ｂ）モジュール２３５、表示制御（Ｃ）モジュール２４０、表示制御（Ｄ）モジュール２４５が作成した、Ｗｅｂブラウザ１３０が表示可能なＨＴＭＬ（ＨｙｐｅｒＴｅｘｔ  Ｍａｒｋｕｐ  Ｌａｎｇｕａｇｅ）などのコンテンツを、ＨＴＴＰ（ＨｙｐｅｒＴｅｘｔ  Ｔｒａｎｓｆｅｒ  Ｐｒｏｔｏｃｏｌ）でクライアント装置１２０に送信する。
【００３７】
図３は、本実施の形態を利用したシステム構成例を示す説明図である。工程管理装置１００は、複数のクライアント装置１２０に対して、印刷のワークフローにおける処理状況の報告を行うようにしてもよい。
工程管理装置１００、クライアント装置１２０Ａ、クライアント装置１２０Ｂ、クライアント装置１２０Ｃ等は、通信回線３９０を介してそれぞれ接続されている。通信回線３９０は、無線、有線、これらの組み合わせであってもよく、例えば、通信インフラとしてのインターネット、イントラネット等であってもよい。また、工程管理装置１００による機能は、クラウドサービスとして実現してもよい。
工程管理装置１００と、印刷機１５０Ａ、製本機１６０Ａ、印刷機１５０Ｂ、製本機１６０Ｂ等は、接続されている。工程管理装置１００は、複数の印刷機１５０、複数の製本機１６０を用いて、印刷のワークフローを実行してもよい。
【００３８】
図４は、印刷のワークフローの例を示す説明図である。
処理工程として、入稿４１０、プリプレス４２０、印刷４３０、後処理４４０、検品４５０、配送４６０がある例を示している。この順番で処理を行うことを示している。また、この印刷のワークフローに、他の処理工程を付加してもよいし、逆に、この中の処理工程（例えば、検品４５０）がスキップ（省略）されてもよい。
【００３９】
図５は、印刷ワークフロー内の各処理工程を示すフェーズアイコンの例（工程図形の例）を示す説明図である。
フェーズアイコン（入稿）５１０は、入稿４１０に対応する。フェーズアイコン（プリプレス）５２０は、プリプレス４２０に対応する。フェーズアイコン（印刷）５３０は、印刷４３０に対応する。フェーズアイコン（後処理）５４０は、後処理４４０に対応する。フェーズアイコン（検品）５５０は、検品４５０に対応する。フェーズアイコン（配送）５６０は、配送４６０に対応する。
各フェーズアイコンとして、例えば、３種類の色のフェーズアイコンを用意しておいてもよい。例えば、青色（処理中であることを示す色）、薄い灰色（処理済みであることを示す色）、濃い灰色（未処理であることを示す色）等がある。
【００４０】
図６は、本実施の形態による処理例を示すフローチャートである。
ステップＳ６０２では、表示対象とする複数の印刷ワークフローを取得する。例えば、注文・印刷ワークフロー対応テーブル７００を用いて、注文を受けている印刷ワークフローを取得する。
ステップＳ６０４では、各印刷ワークフローにおける処理状況を取得する。例えば、処理工程・処理機器対応テーブル８００を用いて、各印刷ワークフローの処理工程ＩＤとその処理工程の処理を行う処理機器ＩＤを取得し、処理状況テーブル９００を用いて、その処理工程における処理状況とステータスを取得する。
ステップＳ６０６では、各処理工程の処理状況を判断し、「処理完了」の場合はステップＳ６０８へ進み、「処理中」の場合はステップＳ６１０へ進み、「未処理」の場合はステップＳ６２２へ進む。
【００４１】
ステップＳ６０８では、その処理工程を示すフェーズアイコンの色を、処理完了を示す色（例えば、薄いグレー）に変更する。
ステップＳ６１０では、その処理工程を示すフェーズアイコンの色を、処理中を示す色（例えば、青色）に変更する。
ステップＳ６１２では、その処理工程における補足情報を取得する。
【００４２】
ステップＳ６１４では、ステータスを判断し、「通常」の場合はステップＳ６１６へ進み、「警告」の場合はステップＳ６１８へ進み、「エラー」の場合はステップＳ６２０へ進む。
ステップＳ６１６では、補足情報を表示する。
【００４３】
ステップＳ６１８では、警告マークを付して、補足情報を表示する。例えば、図１０に示すステータスメッセージ表示領域１０３４で示している警告マークが該当する。
ステップＳ６２０では、エラーマークを付して、補足情報を表示する。例えば、図１０に示すステータスメッセージ表示領域１０２４で示しているエラーマークが該当する。
ステップＳ６２２では、その処理工程を示すフェーズアイコンの色を、未処理を示す色（例えば、濃いグレー）に変更する。
【００４４】
図７は、注文・印刷ワークフロー対応テーブル７００のデータ構造例を示す説明図である。
注文・印刷ワークフロー対応テーブル７００は、注文ＩＤ欄７０５、印刷ワークフローＩＤ欄７１０を有している。注文ＩＤ欄７０５は、本実施の形態において、注文を一意に識別するための情報（注文ＩＤ：ＩＤｅｎｔｉｆｉｃａｔｉｏｎ）を記憶している。印刷ワークフローＩＤ欄７１０は、本実施の形態において、印刷ワークフローを一意に識別するための情報（印刷ワークフローＩＤ）を記憶している。注文・印刷ワークフロー対応テーブル７００によって、注文ＩＤと印刷ワークフローとの対応を管理している。
【００４５】
図８は、処理工程・処理機器対応テーブル８００のデータ構造例を示す説明図である。
処理工程・処理機器対応テーブル８００は、印刷ワークフローＩＤ欄８０５、処理工程数欄８１０、処理工程ＩＤ欄８１５、処理機器ＩＤ欄８２０を有している。印刷ワークフローＩＤ欄８０５は、印刷ワークフローＩＤを記憶している。処理工程数欄８１０は、処理工程数を記憶している。処理工程ＩＤ欄８１５は、本実施の形態において、処理工程を一意に識別するための情報（処理工程ＩＤ）を記憶している。処理機器ＩＤ欄８２０は、本実施の形態において、処理機器を一意に識別するための情報（処理機器ＩＤ）を記憶している。処理工程数欄８１０内の数だけ、処理機器ＩＤ欄８２０の後に、処理工程ＩＤ欄８１５と処理機器ＩＤ欄８２０の組が続く。処理工程・処理機器対応テーブル８００によって、印刷ワークフローにおける処理工程とその処理工程の処理を行う処理機器との対応を管理している。
【００４６】
図９は、処理状況テーブル９００のデータ構造例を示す説明図である。
処理状況テーブル９００は、処理機器ＩＤ欄９０５、処理工程ＩＤ欄９１０、処理状況欄９１５、ステータス欄９２０を有している。処理機器ＩＤ欄９０５は、処理機器ＩＤを記憶している。処理工程ＩＤ欄９１０は、処理工程ＩＤを記憶している。処理状況欄９１５は、その処理工程での処理状況を記憶している。ステータス欄９２０は、その処理工程でのステータスを記憶している。処理状況テーブル９００によって、印刷ワークフロー内の処理工程における処理状況とステータスを管理している。
【００４７】
図１０は、印刷ワークフロー内の各処理工程の処理状況、ステータスの表示例を示す説明図である。
受注リストにステータスを表示する例を示す。つまり、フェーズアイコンを上に並べて表示し、下にステータスメッセージを表示する。上部のフェーズアイコンでフェーズの進捗を表現し、下部のステータスメッセージで上部のフェーズアイコンの補足を表示するとともに、必要に応じて、エラー、警告メッセージを表示する。これによって、複数の受注の進捗、エラー情報を一覧で確認することができるようになる。
画面１０００には、ステータス表示領域１０１０、ステータス表示領域１０２０、ステータス表示領域１０３０を表示する。
ステータス表示領域１０１０には、フェーズアイコン表示領域１０１２、ステータスメッセージ表示領域１０１４を表示する。ステータス表示領域１０２０には、フェーズアイコン表示領域１０２２、ステータスメッセージ表示領域１０２４を表示する。ステータス表示領域１０３０には、フェーズアイコン表示領域１０３２、ステータスメッセージ表示領域１０３４を表示する。フェーズアイコン表示領域１０１２、フェーズアイコン表示領域１０２２、フェーズアイコン表示領域１０３２には、それぞれフェーズアイコン（入稿）５１０、フェーズアイコン（プリプレス）５２０、フェーズアイコン（印刷）５３０、フェーズアイコン（後処理）５４０、フェーズアイコン（検品）５５０、フェーズアイコン（配送）５６０を表示する。フェーズアイコン表示領域１０１２、フェーズアイコン表示領域１０２２では、例えば、フェーズアイコン（入稿）５１０を薄いグレーで表示し（処理完了していることを示している）、フェーズアイコン（プリプレス）５２０を青色で表示し（処理中であることを示している）、フェーズアイコン（印刷）５３０、フェーズアイコン（後処理）５４０、フェーズアイコン（検品）５５０、フェーズアイコン（配送）５６０を濃いグレーで表示している（未処理であることを示している）。フェーズアイコン表示領域１０３２では、例えば、フェーズアイコン（入稿）５１０、フェーズアイコン（プリプレス）５２０、フェーズアイコン（印刷）５３０を薄いグレーで表示し（処理完了していることを示している）、フェーズアイコン（後処理）５４０を青色で表示し（処理中であることを示している）、フェーズアイコン（検品）５５０、フェーズアイコン（配送）５６０を濃いグレーで表示している（未処理であることを示している）。そして、ステータスメッセージ表示領域１０１４には、例えば、フェーズアイコン（プリプレス）５２０の処理について「プリプレス−グルーピング中」と表示する。ステータスメッセージ表示領域１０２４には、例えば、フェーズアイコン（プリプレス）５２０について「プリプレス−グルーピングエラー」と表示する。ステータスメッセージ表示領域１０３４には、例えば、フェーズアイコン（後処理）５４０について「製本−警告」と表示する。
【００４８】
なお、スキップされるフェーズ（例えば、検品フェーズ）がある場合は、そのフェーズアイコンを表示しないようにしてもよいし、そのフェーズアイコンに「＝」（スキップすることを示すマーク）を重ねて表示してもよい。つまり、スキップされるフェーズがある場合は、
（１）印刷ワークフロー内の処理工程数に合わせて、ステータス表示領域１０１０内のフェーズアイコンの数が異なる。このような表示にすることによって、各印刷ワークフロー内の処理工程数が把握しやすくなる。
（２）印刷ワークフロー内の処理工程数に関係なく、ステータス表示領域１０１０内に６つのフェーズアイコンを表示し、スキップされるフェーズのフェーズアイコンに「＝」を重ねて表示する。このような表示にすることによって、画面１０００内の各行のフェーズアイコンの位置が揃い、位置でどのフェーズであるかが把握できるようになる。
【００４９】
図１１は、注文ＩＤ毎に、各処理工程の処理状況、ステータスを表示する例を示す説明図である。この表示例は、注文ＩＤに区分して表示された表示画面においてフェーズアイコン表示領域１０１２等を表示しているものである。つまり、受注リストにステータスを表示する例であって、複数の受注の進捗、エラー情報を一覧で確認することができるようになる。
画面１１００には、受注リスト対応ステータステーブル１１１０を表示する。
受注リスト対応ステータステーブル１１１０は、注文ＩＤ欄１１２０、受注ステータス欄１１３０を有している。注文ＩＤ欄１１２０は、注文ＩＤを表示している。受注ステータス欄１１３０は、受注ステータスを表示している。受注ステータス欄１１３０の各行には、図１０の例に示したステータス表示領域１０１０と同等の表示を行う。
【００５０】
図１２は、フェーズアイコンにサブアイコンを重畳した表示例を示す説明図である。つまり、サブアイコンにより進捗と状態を表示する例を示している。
図１２（ａ）は、フェーズアイコン１２００（工程図形の一例）にサブアイコン１２１０（第２の図形の一例）を重畳して表示した例を示すものである。このサブアイコン１２１０は、フェーズアイコン１２００に対応するフェーズの状況を示している。
図１２（ｂ１）は、フェーズアイコン（プリプレス）５２０にサブアイコン（プリプレス正常）１２１５を重畳して表示することによって、プリプレス（面付け）が正常に進行していることを示している。
図１２（ｂ２）は、フェーズアイコン（プリプレス）５２０にサブアイコン（プリプレスエラー）１２２０を重畳して表示することによって、プリプレス（面付け）でエラーが発生していることを示している。
図１２（ｂ３）は、フェーズアイコン（印刷）５３０にサブアイコン（スケジュール割当なし）１２２５を重畳して表示することによって、印刷ジョブのスケジュールが印刷機に割りあたっていないことを警告として表示している。
サブアイコンでは各フェーズ内の進捗を形態（主に、形状）で表現している。また、正常（緑）、エラー（赤）、警告（黄色）とサブアイコンの色を変えることで状態もあわせて表現するようにしてもよい。なお、エラーと警告は、ステータスによって予め定められている。例えば、エラーはすぐに対処が必要であり、警告は後に対処してもよいことを示している。これは、緊急度の違いがある。
なお、サブアイコンは、現在処理中であるフェーズアイコンに重畳して表示する。フェーズアイコンをサブアイコンに重畳して表示するのは、２つのアイコン（フェーズアイコン、サブアイコン）の表示領域を広げないためである。表示領域が広がらないのであれば、必ずしも重畳する必要はなく、サブアイコンをフェーズアイコンの近傍に配置するようにしてもよい。例えば、フェーズアイコンの空白部分にサブアイコンを挿入するようにしてもよい。
【００５１】
図１３は、印刷ワークフロー内の各処理工程の処理状況、ステータスの表示例を示す説明図である。つまり、ステータスメッセージでは上部のフェーズアイコンが示すフェーズの補足を表示するとともに、必要に応じて、エラー又は警告に関するメッセージを表示する。
図１３（ａ）の例に示す画面１３００には、ステータス表示領域１３１０、ステータス表示領域１３２０、ステータス表示領域１３３０を表示する。ステータス表示領域１３１０には、フェーズアイコン表示領域１３１２、ステータスメッセージ表示領域１３１４を表示する。ステータス表示領域１３２０には、フェーズアイコン表示領域１３２２、ステータスメッセージ表示領域１３２４を表示する。ステータス表示領域１３３０には、フェーズアイコン表示領域１３３２、ステータスメッセージ表示領域１３３４を表示する。
ステータスメッセージ表示領域１３１４には、例えば、フェーズアイコン（プリプレス）５２０の処理について「プリプレス−グルーピング中」と表示する。ステータスメッセージ表示領域１３２４には、例えば、フェーズアイコン（プリプレス）５２０の処理について「プリプレス−グルーピングエラー」と表示する。ステータスメッセージ表示領域１３３４には、例えば、フェーズアイコン（後処理）５４０の処理について「製本−警告」と表示する。
また、エラー、警告の際は、背景色（例えば、エラーの場合は赤色、警告の場合は黄色）を付けることにより、よりユーザーが認識しやすいようにする。
【００５２】
図１３（ｂ）の例に示すステータス表示領域１３５０には、フェーズアイコン表示領域１３５２、ステータスメッセージ表示領域１３５４を表示する。優先的に表示が必要な情報がある場合は、その情報をメッセージとして表示する例を示している。つまり、現在処理中のフェーズに関係ないメッセージであっても表示するようにしてもよい。
ステータスメッセージ表示領域１３５４には、例えば「発送完了予定日時を過ぎています。」と表示する。つまり、発送の予定日が過ぎており、すぐに対処が必要なことを示している。ステータスメッセージ表示領域１３５４を見れば、その印刷ワークフローに関するメッセージがわかるような表示としている。
【００５３】
図１４は、メッセージの表示例を示す説明図である。つまり、ツールチップ表示の例を示している。
画面１４００には、受注リスト対応ステータステーブル１４１０を表示する。受注リスト対応ステータステーブル１４１０は、注文ＩＤ欄１４２０、受注ステータス欄１４３０を有している。注文ＩＤ欄１４２０は、注文ＩＤを記憶している。受注ステータス欄１４３０は、受注ステータスを記憶している。カーソル１４４０を、印刷ワークフローのフェーズアイコン上に重ねた場合に、ツールチップ１４５０を表示する。ここでは、フェーズアイコン（後処理）５４０上にカーソル１４４０があるので、ツールチップ１４５０には、フェーズアイコン（後処理）５４０に関する詳細情報を表示する。例えば、ツールチップ１４５０内に、ステータスメッセージ表示領域に収まらない詳細情報等を表示する。
【００５４】
図１５を参照して、本実施の形態の工程管理装置１００のハードウェア構成例について説明する。図１５に示す構成は、例えばパーソナルコンピュータ（ＰＣ）等によって構成されるものであり、スキャナ等のデータ読み取り部１５１７と、プリンタ等のデータ出力部１５１８を備えたハードウェア構成例を示している。
【００５５】
ＣＰＵ（Ｃｅｎｔｒａｌ  Ｐｒｏｃｅｓｓｉｎｇ  Ｕｎｉｔ）１５０１は、前述の実施の形態において説明した各種のモジュール、すなわち、コントローラ制御モジュール１０５、表示制御モジュール１１０、受注情報管理モジュール１１５、情報取得モジュール２１０、印刷情報取得モジュール２１５、処理状況情報取得モジュール２２０、表示制御（Ａ）モジュール２３０、表示制御（Ｂ）モジュール２３５、表示制御（Ｃ）モジュール２４０、表示制御（Ｄ）モジュール２４５、表示用データ送信モジュール２５０等の各モジュールの実行シーケンスを記述したコンピュータ・プログラムにしたがった処理を実行する制御部である。
【００５６】
ＲＯＭ（Ｒｅａｄ  Ｏｎｌｙ  Ｍｅｍｏｒｙ）１５０２は、ＣＰＵ１５０１が使用するプログラムや演算パラメータ等を格納する。ＲＡＭ（Ｒａｎｄｏｍ  Ａｃｃｅｓｓ  Ｍｅｍｏｒｙ）１５０３は、ＣＰＵ１５０１の実行において使用するプログラムや、その実行において適宜変化するパラメータ等を格納する。これらはＣＰＵバス等から構成されるホストバス１５０４により相互に接続されている。
【００５７】
ホストバス１５０４は、ブリッジ１５０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バス等の外部バス１５０６に接続されている。
【００５８】
キーボード１５０８、マウス等のポインティングデバイス１５０９は、操作者により操作されるデバイスである。ディスプレイ１５１０は、液晶表示装置又はＣＲＴ（Ｃａｔｈｏｄｅ  Ｒａｙ  Ｔｕｂｅ）等があり、各種情報をテキストやイメージ情報として表示する。また、ポインティングデバイス１５０９とディスプレイ１５１０の両方の機能を備えているタッチスクリーン等であってもよい。その場合、キーボードの機能の実現について、キーボード１５０８のように物理的に接続しなくても、画面（タッチスクリーン）上にソフトウエアでキーボード（いわゆるソフトウェアキーボード、スクリーンキーボード等ともいわれる）を描画して、キーボードの機能を実現するようにしてもよい。
【００５９】
ＨＤＤ（Ｈａｒｄ  Ｄｉｓｋ  Ｄｒｉｖｅ）１５１１は、ハードディスク（フラッシュ・メモリ等であってもよい）を内蔵し、ハードディスクを駆動し、ＣＰＵ１５０１によって実行するプログラムや情報を記録又は再生させる。ハードディスクには、印刷情報、注文・印刷ワークフロー対応テーブル７００、処理工程・処理機器対応テーブル８００、処理状況テーブル９００等が格納される。さらに、その他の各種データ、各種コンピュータ・プログラム等が格納される。
【００６０】
ドライブ１５１２は、装着されている磁気ディスク、光ディスク、光磁気ディスク、又は半導体メモリ等のリムーバブル記録媒体１５１３に記録されているデータ又はプログラムを読み出して、そのデータ又はプログラムを、インタフェース１５０７、外部バス１５０６、ブリッジ１５０５、及びホストバス１５０４を介して接続されているＲＡＭ１５０３に供給する。なお、リムーバブル記録媒体１５１３も、データ記録領域として利用可能である。
【００６１】
接続ポート１５１４は、外部接続機器１５１５を接続するポートであり、ＵＳＢ、ＩＥＥＥ１３９４等の接続部を持つ。接続ポート１５１４は、インタフェース１５０７、及び外部バス１５０６、ブリッジ１５０５、ホストバス１５０４等を介してＣＰＵ１５０１等に接続されている。通信部１５１６は、通信回線に接続され、外部とのデータ通信処理を実行する。データ読み取り部１５１７は、例えばスキャナであり、ドキュメントの読み取り処理を実行する。データ出力部１５１８は、例えばプリンタであり、ドキュメントデータの出力処理を実行する。
【００６２】
なお、図１５に示す工程管理装置１００のハードウェア構成は、１つの構成例を示すものであり、本実施の形態は、図１５に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続している形態でもよく、さらに図１５に示すシステムが複数互いに通信回線によって接続されていて互いに協調動作するようにしてもよい。また、特に、パーソナルコンピュータの他、携帯情報通信機器（携帯電話、スマートフォン、モバイル機器、ウェアラブルコンピュータ等を含む）、情報家電、ロボット、複写機、ファックス、スキャナ、プリンタ、複合機（スキャナ、プリンタ、複写機、ファックス等のいずれか２つ以上の機能を有している画像処理装置）などに組み込まれていてもよい。
【００６３】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラムの全体又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分若しくは全部であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【００６４】
１００…工程管理装置
１０５…コントローラ制御モジュール
１１０…表示制御モジュール
１１５…受注情報管理モジュール
１２０…クライアント装置
１２５…表示モジュール
１３０…Ｗｅｂブラウザ
１５０…印刷機
１６０…製本機
１９０…通信回線
２１０…情報取得モジュール
２１５…印刷情報取得モジュール
２２０…処理状況情報取得モジュール
２３０…表示制御（Ａ）モジュール
２３５…表示制御（Ｂ）モジュール
２４０…表示制御（Ｃ）モジュール
２４５…表示制御（Ｄ）モジュール
２５０…表示用データ送信モジュール
３９０…通信回線
【図１】
2019211809.tif 000003
【図２】
2019211809.tif 000004
【図３】
2019211809.tif 000005
【図４】
2019211809.tif 000006
【図５】
2019211809.tif 000007
【図６】
2019211809.tif 000008
【図７】
2019211809.tif 000009
【図８】
2019211809.tif 000010
【図９】
2019211809.tif 000011
【図１０】
2019211809.tif 000012
【図１１】
2019211809.tif 000013
【図１２】
2019211809.tif 000014
【図１３】
2019211809.tif 000015
【図１４】
2019211809.tif 000016
【図１５】
2019211809.tif 000017